(57)【特許請求の範囲】
【請求項１】
パネルの外側に外装部材を被せ、表面が押圧面を形成する操作つまみの胴部を前記パネルおよび外装部材に設けた夫々の穴から突出させ、前記胴部の下部周囲に形成されたフランジが前記パネルの穴の周縁に係止されて前記胴部の前記外装部材の穴からの突出量が規制される電子機器のつまみ取付構造において、前記外装部材を前記操作つまみより硬度の高い材料とし、前記胴部に段差を設け、前記段差から前記フランジ側の部分の外周を前記パネルの穴と滑り状態で密嵌合させて前記操作つまみのパネル面に沿う方向の位置決めをなし、前記パネルの穴と密嵌合する部分の外径寸法を前記外装部材の穴の内寸法より大きくして前記胴部と前記外装部材の穴との間の隙間をより前記パネルが見えないようにし、かつ前記隙間を前記操作つまみと外装部材とが接触することがない十分の大きさとした電子機器のつまみ取付構造。
【発明の詳細な説明】
【技術分野】
【０００１】
この発明は電子機器の操作つまみ取付構造に関する。
【背景技術】
【０００２】
従来の電子機器の操作つまみ取付構造の例を図２および図３により説明する。図に示すパネル５の外側に外装部材６を被せ、表面が押圧面４ｂを形成する操作つまみ４の胴部４ａをパネル５の穴５ａおよび外装部材６の穴６ａから突出させ、操作つまみ４の胴部４ａの下部周囲に形成されたフランジ４ｃがパネル５の穴５ａの周縁に係止されて操作つまみ４の胴部４ａの外装部材６の穴６ａからの突出量が規制される。
【０００３】
操作つまみ４の下側には操作つまみ４を上方向に付勢するばねやプリント基板に実装されたスイッチが配置されるが図３で図示を省略している。操作つまみ４の押圧面４ｂを指で押すと操作つまみ４は前記ばねの弾力に抗して下動して前記スイッチを作動させる。
【０００４】
上記外装部材６がアクリル樹脂、メッキ処理品、アルミ等の硬度の高い材料の場合、通常ＡＢＳ（アクリロニトル・ブタジエン・スチレン）やＰＯＭ（ポリアセタール）で作られる操作つまみ４と外装部材６が擦れて異常音が発生したり、スタック（固着）が発生したりすることを防ぐために、操作つまみ４はパネル５で位置決めされ、図３に示すように外装部材６の穴６ａと操作つまみ４の胴部４ａの間に大きいクリアランスが設けられていた。
【０００５】
上記図２および図３に示した従来の電子機器の操作つまみ取付構造では、パネル等の塗装色が例えばシルバー等の明るい色に対して、外装部材や操作つまみ等の塗装色がそれとは対照的な黒等の暗い色であると、図３でＢの矢印で示す方向から外装部材６の穴６ａと操作つまみ４の胴部４ａのクリアランスの間で見えるパネル５の塗装色が非常に目立ち美観を損なっていた。
【０００６】
特開平１１−３０６９０３号公報に開示された操作パネルでは、操作ボタン１３は外装カバー１１のボタン穴１１ａとぴったり合う位置に位置決めされる。この操作パネルでは操作ボタン１３と外装カバー１１のボタン穴１１ａとの間からフレーム１２（本願図１のパネル２に相当する）が見えない。しかしながら前述したように、操作ボタン１３と外装カバー１１の硬度が違うと一方が摩耗して上記した障害を起こすことになる。
【特許文献１】特開平１１−３０６９０３号公報、段落００２３、図３
【発明の開示】
【発明が解決しようとする課題】
【０００７】
この発明は上記した点に鑑みてなされたものであって、その目的とするところは、外観に優れ、しかも外装部材と操作つまみとの硬度が違う場合にも操作つまみと外装部材が擦れて異常音が発生したり、スタック（固着）が発生したりすることが防止される電子機器の操作つまみ取付構造を提供することにある。
【課題を解決するための手段】
【０００８】
この発明の電子機器のつまみ取付構造は、パネルの外側に外装部材を被せ、表面が押圧面を形成する操作つまみの胴部を前記パネルおよび外装部材に設けた夫々の穴から突出させ、前記胴部の下部周囲に形成されたフランジが前記パネルの穴の周縁に係止されて前記胴部の前記外装部材の穴からの突出量が規制される電子機器のつまみ取付構造において、前記外装部材を前記操作つまみより硬度の高い材料とし、前記胴部に段差を設け、前記段差から前記フランジ側の部分の外周を前記パネルの穴と滑り状態で密嵌合させて前記操作つまみのパネル面に沿う方向の位置決めをなし、前記パネルの穴と密嵌合する部分の外径寸法を前記外装部材の穴の内寸法より大きくして前記胴部と前記外装部材の穴との間の隙間をより前記パネルが見えないようにし、かつ前記隙間を前記操作つまみと外装部材とが接触することがない十分の大きさとしたものである。
【発明の効果】
【０００９】
この発明の電子機器のつまみ取付構造によれば、外観に優れ、しかも外装部材と操作つまみとの硬度が違う場合にも操作つまみと外装部材が擦れて異常音が発生したり、スタック（固着）が発生したりすることが防止される。
【発明を実施するための最良の形態】
【００１０】
以下この発明を実施するための最良の形態を実施例に即して説明する。図１はこの発明の電子機器の操作つまみ取付構造を示す断面図である。図に示すパネル２の外側に外装部材３を被せ、表面が押圧面１ｂを形成する操作つまみ１の胴部１ａをパネル２の穴２ａおよび外装部材３の穴３ａから突出させ、
操作つまみ１の胴部１ａの下部周囲に形成されたフランジ１ｄがパネル２の穴２ａの周縁に係止されて操作つまみ１の胴部１ａの外装部材３の穴３ａからの突出量が規制される。操作つまみ１の下側には操作つまみ１を上方向に付勢するばねやプリント基板に実装されたスイッチが配置されるが図１で図示を省略している。操作つまみ１の押圧面１ｂを指で押すと操作つまみ１は前記ばねの弾力に抗して下動して前記スイッチを作動させる。
【００１１】
図１は長方形の操作つまみ１の長手方向の断面であるが、短手方向の断面も図１と同様の形状をしており、以下に長手方向の断面に付いて説明するが短手方向の断面も同様である。
【００１２】
操作つまみ１の胴部１ａには段差１ｃが設けられており、段差１ｃの図示下側の部分の外径寸法はパネル２の穴２ａの内寸法より僅かに小さく操作つまみ１は、パネル２の穴２ａで位置決めされる。
【００１３】
段差１ｃの図示上側の部分の外径寸法は外装部材３の穴３ａの内寸法よりもかなり小さく胴部１ａと外装部材３との間には十分なクリアランスが確保されている。胴部の段差１ｃより下側の寸法ａは外装部材３の穴３ａの内寸法ｂより大きくなっている。従って、操作つまみ１の胴部１ａと外装部材３との間のクリアランスからパネル２が見えない。
【００１４】
このように、操作つまみと外装部材の穴との間の隙間よりパネルが見えないので、パネル等の塗装色が例えばシルバー等の明るい色に対して、外装部材や操作つまみ等の塗装色がそれとは対照的な黒等の暗い色であっても目立ち美観が損なわれることがない。
【００１５】
そして、外装部材と操作つまみの硬度が異なっていても、外装部材と操作つまみの間に大きいクリアランスが確保できるので、外装部材と操作つまみの摩擦により異常音が発生したり、スタックが発生したりすることが防止される。
【００１６】
実施例は以上のように構成されているが発明はこれに限られず、例えば、操作つまみの断面は長方形に限られず、正方形や円形等であってもよい。
【図面の簡単な説明】
【００１７】
【図１】この発明の電子機器の操作つまみ取付構造を示す断面図である。
【図２】従来の電子機器の操作つまみ取付構造の例を示す正面図である。
【図３】図２におけるＡ−Ａ断面図である。
【符号の説明】
【００１８】
１  操作つまみ、１ａ  胴部、１ｂ  押圧面、１ｃ  段差、１ｄ  フランジ
２  パネル、２ａ  穴
３  外装部材、３ａ  穴
４  操作つまみ、４ａ  胴部、４ｂ  押圧面、４ｃ  フランジ
５  パネル、５ａ  穴
６  外装部材、６ａ  穴
【図１】
0004655827.tif 000002
【図２】
0004655827.tif 000003
【図３】
0004655827.tif 000004